(57)【要約】      （修正有）【課題】二次元コードを利用した簡単な操作で、二次元コードの発給者、受給者及び受贈者の間で情報を共有することができ、趣向性を備え利用の促進が期待されるサービス方法を提供する。【解決手段】少なくとも２種の二次元コード（参照用コード及び更新用コード）が表示された情報伝達媒体が発給されるサービスであって、発給者によってアップロードされた当初データを受信し保存するステップと、発給者からの指令によって受給者に対して情報伝達媒体を発給するステップと、受給者等によって参照用コードからアクセスがあった際に、当初データ又は更新データを閲覧等させるステップと、受給者によって更新用コードからアクセスがあった際に、当初データに情報を追加等させることで更新データを作成させるステップと、を有する。【選択図】図２
2020173790.tif 000002
【特許請求の範囲】
【請求項１】
ネットワークに接続されたコンピュータによって実行され、
少なくとも２種の二次元コードが表示された情報伝達媒体が、発給者によって発給され、これを受け取った受給者に情報が与えられるサービスの提供方法であって、
前記２種の二次元コードは、参照用コード及び更新用コードであり、
前記参照用コードは、前記発給者によって前記コンピュータにアップロードされた当初データ又は後述する更新データにアクセスするコードであり、
前記更新用コードは、前記当初データの内容に情報を追加し、又は当初データの内容を変更することで、更新データを作成するためのコードであり、
前記コンピュータによって実行されるステップが、
前記発給者によって、情報機器を介してアップロードされた当初データを受信し、保存するステップと、
前記発給者からの指令によって、前記受給者に対して前記情報伝達媒体を発給するステップ、又は、前記発給者からの指令によって、前記発給者に対して前記二次元コードに係るＩＤを発給し、該発給者に前記情報伝達媒体を発給させるステップと、
前記発給者、前記受給者又は該受給者から前記情報伝達媒体を譲り受けた受贈者によって、情報機器を介して前記参照用コードからアクセスがあった際に、前記当初データ又は前記更新データを閲覧又はダウンロードさせるステップと、
前記受給者から、情報機器を介して前記更新用コードからアクセスがあった際に、前記当初データの内容に情報を追加させ、又は、前記当初データの内容を変更させることで更新データを作成させるステップと、を有する構成であり、
前記情報伝達媒体は、受給者用と受贈者用とで切り離しが可能であり、
受給者用の情報伝達媒体には、更新用コードが表示され、受贈者用の情報伝達媒体には、参照用コードが表示された構成であり、
前記情報伝達媒体は、発給者が受給者に対して発給する際には、受給者用と受贈者用とが切り離されず一体であり、
受給者が受贈者に対して譲り渡す際にこれらを切り離し、受贈者用のみを譲り渡す構成、
であることを特徴とするサービスの提供方法。
【請求項２】
情報伝達媒体は、受給者用と受贈者用との切り離し部分にて、二次元コードが表示された面を内側に折り合わされた構成であり、
この折られた状態において、二次元コードを視認できない構成であることを特徴とする請求項１に記載のサービスの提供方法。
【請求項３】
発給者によって、情報機器を介してアップロードされた複数の当初データを受信し、保存するステップと、
受給者から、情報機器を介して前記更新用コードからアクセスがあった際に、前記複数の当初データから１つ又は２以上の当初データを選択させるステップと、
前記選択された当初データの内容に情報を追加させ、又は、前記選択された当初データの内容を変更させることで更新データを作成させるステップと、
を有することを特徴とする請求項１又は２に記載のサービスの提供方法。
【請求項４】
情報伝達媒体が、郵便物であって、
前記郵便物を販売した発給者から、該郵便物を購入した受給者に対して該郵便物が引き渡される際には、更新用コードが表示された受給者用と、参照用コードが表示された受贈者用とが一体であり、
前記受給者が受贈者に対して郵便物を発送する際に、受給者用を切り取って発送する構成であり、
前記受給者から、情報機器を介して更新用コードからアクセスがあった際に、当初データの内容に、前記受贈者に対するメッセージ情報を追加させ、更新データを作成するステップと、
前記受贈者から、情報機器を介して参照用コードからアクセスがあった際に、前記更新データを閲覧又はダウンロードさせるステップを有すると共に、
前記郵便物に表示された内容と、前記更新データの内容が異なることを特徴とする請求項１〜３のいずれかに記載のサービスの提供方法。
【請求項５】
商品を購入すると、該商品を購入した者に対して少なくとも２種の二次元コードが表示された情報伝達媒体が発給される構成であり、
該商品を販売した発給者から、該商品を購入した受給者に該商品が引き渡される際には、更新用コードが表示された受給者用と、参照用コードが表示された受贈者用とが一体であり、
前記受給者が受贈者に対して該商品を引き渡しする際に、受給者用を切り取って引き渡しする構成であり、
前記受給者から、情報機器を介して更新用コードからアクセスがあった際に、当初データの内容に、前記受贈者に対するメッセージ情報を追加させ、更新データを作成するステップと、
前記商品を譲り受けた受贈者から、情報機器を介して参照用コードからアクセスがあった際に、前記更新データを閲覧又はダウンロードさせるステップを有する構成であることを特徴とする請求項１〜３のいずれかに記載のサービスの提供方法。
【請求項６】
情報伝達媒体が、商品又は役務の料金を精算した際に発行される精算レシートであることを特徴とする請求項５に記載のサービスの提供方法。
【請求項７】
情報伝達媒体が、順番待ちの際に発行される受付番号シートであることを特徴とする請求項５に記載のサービスの提供方法。
【請求項８】
情報伝達媒体には、少なくとも３種の二次元コードが表示され、
前記３種の二次元コードは、参照用コード、更新用コード及び削除用コードであり、
前記削除用コードは、前記更新データを削除するため、又は、前記当初データと前記更新データを共に削除するためのコードであり、
情報機器を介して前記削除用コードからアクセスがあった際に、前記当初データ又は前記更新データを削除するステップを有することを特徴とする請求項１〜７のいずれかに記載のサービスの提供方法。
【請求項９】
ネットワークに接続されたコンピュータと、
少なくとも２種の二次元コードが表示された情報伝達媒体を発給する発給機を備え、
前記２種の二次元コードは、参照用コード及び更新用コードであり、
前記参照用コードは、前記発給者によって前記コンピュータにアップロードされた当初データ又は後述する更新データにアクセスするコードであり、
前記更新用コードは、前記当初データの内容に情報を追加し、又は当初データの内容を変更することで、更新データを作成するためのコードであり、
前記コンピュータは、
前記情報伝達媒体を発給する発給者によって、情報機器を介してアップロードされた当初データを受信し、保存する手段と、
情報機器を介して前記参照用コードからアクセスがあった際に、前記当初データ又は前記更新データを閲覧又はダウンロードさせる手段と、
前記情報伝達媒体の発給を受けた受給者から、情報機器を介して前記更新用コードからアクセスがあった際に、前記当初データの内容に情報を追加させ、又は、前記当初データの内容を変更させることで更新データを作成させる手段を有し、
前記発給機は、前記発給者の指令に基いて、前記情報伝達媒体を発給する手段を有する、
ことを特徴とするサービス提供システム。
【請求項１０】
ネットワークに接続されたコンピュータによって実行され、少なくとも２種の二次元コードが表示された情報伝達媒体が、発給者によって発給され、これを受け取った受給者に情報が与えられるサービスの提供方法に用いられる情報伝達媒体であって、
前記２種の二次元コードは、参照用コード及び更新用コードであり、
前記参照用コードは、前記発給者によって前記コンピュータにアップロードされた当初データ又は後述する更新データにアクセスするコードであり、
前記更新用コードは、前記当初データの内容に情報を追加し、又は当初データの内容を変更することで、更新データを作成するためのコードであり、
前記コンピュータによって実行されるステップが、
前記発給者によって、情報機器を介してアップロードされた当初データを受信し、保存するステップと、
前記発給者からの指令によって、前記受給者に対して前記情報伝達媒体を発給するステップと、
前記発給者、前記受給者又は該受給者から前記情報伝達媒体を譲り受けた受贈者によって、情報機器を介して前記参照用コードからアクセスがあった際に、前記当初データ又は前記更新データを閲覧又はダウンロードさせるステップと、
前記受給者から、情報機器を介して前記更新用コードからアクセスがあった際に、前記当初データの内容に情報を追加させ、又は、前記当初データの内容を変更させることで更新データを作成させるステップと、を有する構成であり、
前記情報伝達媒体は、受給者用と受贈者用とで切り離しが可能であり、
受給者用の情報伝達媒体には、更新用コードが表示され、受贈者用の情報伝達媒体には、参照用コードが表示された構成であり、
前記情報伝達媒体は、発給者が受給者に対して発給する際には、受給者用と受贈者用とが切り離されず一体であり、
受給者が受贈者に対して譲り渡す際にこれらを切り離し、受贈者用のみを譲り渡す構成、
であることを特徴とする情報伝達媒体。
【請求項１１】
請求項１０に記載の情報伝達媒体であって、
前記情報伝達媒体が、郵便物であり、
前記郵便物を販売した発給者から、該郵便物を購入した受給者に対して該郵便物が引き渡される際には、更新用コードが表示された受給者用と、参照用コードが表示された受贈者用とが一体であり、
前記受給者が受贈者に対して郵便物を発送する際に、受給者用を切り取って発送する構成であり、
前記コンピュータによって実行されるステップが、
前記受給者から、情報機器を介して更新用コードからアクセスがあった際に、当初データの内容に、前記受贈者に対するメッセージ情報を追加させ、更新データを作成するステップと、
前記受贈者から、情報機器を介して参照用コードからアクセスがあった際に、前記更新データを閲覧又はダウンロードさせるステップを有すると共に、
前記郵便物に表示された内容が、前記更新データの内容とは異なることを特徴とする郵便物。
【発明の詳細な説明】
【技術分野】
【０００１】
本発明は、二次元コードの配布によるサービスの提供方法、サービス提供システム及びこれらに用いられる情報伝達媒体に関し、詳しくは、二次元コードの発給者、受給者及びこれを譲り受けた受贈者の間で、情報を共有することができるサービスの提供方法、サービス提供システム及びこれらに用いられる情報伝達媒体に関する。
【背景技術】
【０００２】
従来から、二次元コードを用いたサービスの提供に関して種々提案されており、例えば、次のような技術が知られている。
【０００３】
本出願人によって提案された特許文献１に記載の技術は、「情報ネットワーク上のサーバにより実行され、前記情報ネットワークを介して接続された利用者端末からアップロードされたデータを受け取るステップと、受け取ったデータを暗号化して保存するステップと、保存されたデータを識別するための情報とそのデータを解読するための暗号解除コードとを二次元パターンにコード化するステップと、このコード化により得られた二次元コードを前記利用者端末に送付するステップと、前記情報ネットワークを介して接続された端末からの前記二次元コードに基づくアクセスに対して、対応するデータを復号化してアクセス元の端末に提供するステップと、を含むデータ配布方法」である。
【０００４】
この特許文献１に記載の技術によれば、利用者が暗号解除コードを管理でき、かつ利便性の高いデータ配布方法の提供を受けることができる。
【０００５】
しかし、特許文献１に記載の技術では、二次元コードの利用により、セキュリティ性の高いデータ配布が可能ではあるが、その具体的使途について言及はなく、特に、利用者の興味を惹く趣向性についての検討が十分でないという問題があった。
【先行技術文献】
【特許文献】
【０００６】
【特許文献１】特開２０１６−２１８９３７
【発明の概要】
【発明が解決しようとする課題】
【０００７】
そこで、本発明の課題は、二次元コードを利用した簡単な操作で、二次元コードの発給者、受給者及びこれを譲り受けた受贈者の間で情報を共有することができ、利用者の興味を惹く趣向性を備えており、利用の促進が期待されるサービスの提供方法、サービス提供システム及びこれらに用いられる情報伝達媒体を提供することにある。
【課題を解決するための手段】
【０００８】
上記本発明の課題は、下記の手段により達成される。
１．ネットワークに接続されたコンピュータによって実行され、
少なくとも２種の二次元コードが表示された情報伝達媒体が、発給者によって発給され、これを受け取った受給者に情報が与えられるサービスの提供方法であって、
前記２種の二次元コードは、参照用コード及び更新用コードであり、
前記参照用コードは、前記発給者によって前記コンピュータにアップロードされた当初データ又は後述する更新データにアクセスするコードであり、
前記更新用コードは、前記当初データの内容に情報を追加し、又は当初データの内容を変更することで、更新データを作成するためのコードであり、
前記コンピュータによって実行されるステップが、
前記発給者によって、情報機器を介してアップロードされた当初データを受信し、保存するステップと、
前記発給者からの指令によって、前記受給者に対して前記情報伝達媒体を発給するステップ、又は、前記発給者からの指令によって、前記発給者に対して前記二次元コードに係るＩＤを発給し、該発給者に前記情報伝達媒体を発給させるステップと、
前記発給者、前記受給者又は該受給者から前記情報伝達媒体を譲り受けた受贈者によって、情報機器を介して前記参照用コードからアクセスがあった際に、前記当初データ又は前記更新データを閲覧又はダウンロードさせるステップと、
前記受給者から、情報機器を介して前記更新用コードからアクセスがあった際に、前記当初データの内容に情報を追加させ、又は、前記当初データの内容を変更させることで更新データを作成させるステップと、を有する構成であり、
前記情報伝達媒体は、受給者用と受贈者用とで切り離しが可能であり、
受給者用の情報伝達媒体には、更新用コードが表示され、受贈者用の情報伝達媒体には、参照用コードが表示された構成であり、
前記情報伝達媒体は、発給者が受給者に対して発給する際には、受給者用と受贈者用とが切り離されず一体であり、
受給者が受贈者に対して譲り渡す際にこれらを切り離し、受贈者用のみを譲り渡す構成、
であることを特徴とするサービスの提供方法。
【０００９】
２．情報伝達媒体は、受給者用と受贈者用との切り離し部分にて、二次元コードが表示された面を内側に折り合わされた構成であり、
この折られた状態において、二次元コードを視認できない構成であることを特徴とする請求項１に記載のサービスの提供方法。
【００１０】
３．発給者によって、情報機器を介してアップロードされた複数の当初データを受信し、保存するステップと、
受給者から、情報機器を介して前記更新用コードからアクセスがあった際に、前記複数の当初データから１つ又は２以上の当初データを選択させるステップと、
前記選択された当初データの内容に情報を追加させ、又は、前記選択された当初データの内容を変更させることで更新データを作成させるステップと、
を有することを特徴とする請求項１又は２に記載のサービスの提供方法。
【００１１】
４．情報伝達媒体が、郵便物であって、
前記郵便物を販売した発給者から、該郵便物を購入した受給者に対して該郵便物が引き渡される際には、更新用コードが表示された受給者用と、参照用コードが表示された受贈者用とが一体であり、
前記受給者が受贈者に対して郵便物を発送する際に、受給者用を切り取って発送する構成であり、
前記受給者から、情報機器を介して更新用コードからアクセスがあった際に、当初データの内容に、前記受贈者に対するメッセージ情報を追加させ、更新データを作成するステップと、
前記受贈者から、情報機器を介して参照用コードからアクセスがあった際に、前記更新データを閲覧又はダウンロードさせるステップを有すると共に、
前記郵便物に表示された内容と、前記更新データの内容が異なることを特徴とする請求項１〜３のいずれかに記載のサービスの提供方法。
【００１２】
５．商品を購入すると、該商品を購入した者に対して少なくとも２種の二次元コードが表示された情報伝達媒体が発給される構成であり、
該商品を販売した発給者から、該商品を購入した受給者に該商品が引き渡される際には、更新用コードが表示された受給者用と、参照用コードが表示された受贈者用とが一体であり、
前記受給者が受贈者に対して該商品を引き渡しする際に、受給者用を切り取って引き渡しする構成であり、
前記受給者から、情報機器を介して更新用コードからアクセスがあった際に、当初データの内容に、前記受贈者に対するメッセージ情報を追加させ、更新データを作成するステップと、
前記商品を譲り受けた受贈者から、情報機器を介して参照用コードからアクセスがあった際に、前記更新データを閲覧又はダウンロードさせるステップを有する構成であることを特徴とする請求項１〜３のいずれかに記載のサービスの提供方法。
【００１３】
６．情報伝達媒体が、商品又は役務の料金を精算した際に発行される精算レシートであることを特徴とする請求項５に記載のサービスの提供方法。
【００１４】
７．情報伝達媒体が、順番待ちの際に発行される受付番号シートであることを特徴とする請求項５に記載のサービスの提供方法。
【００１５】
８．情報伝達媒体には、少なくとも３種の二次元コードが表示され、
前記３種の二次元コードは、参照用コード、更新用コード及び削除用コードであり、
前記削除用コードは、前記更新データを削除するため、又は、前記当初データと前記更新データを共に削除するためのコードであり、
情報機器を介して前記削除用コードからアクセスがあった際に、前記当初データ又は前記更新データを削除するステップを有することを特徴とする請求項１〜７のいずれかに記載のサービスの提供方法。
【００１６】
９．ネットワークに接続されたコンピュータと、
少なくとも２種の二次元コードが表示された情報伝達媒体を発給する発給機を備え、
前記２種の二次元コードは、参照用コード及び更新用コードであり、
前記参照用コードは、前記発給者によって前記コンピュータにアップロードされた当初データ又は後述する更新データにアクセスするコードであり、
前記更新用コードは、前記当初データの内容に情報を追加し、又は当初データの内容を変更することで、更新データを作成するためのコードであり、
前記コンピュータは、
前記情報伝達媒体を発給する発給者によって、情報機器を介してアップロードされた当初データを受信し、保存する手段と、
情報機器を介して前記参照用コードからアクセスがあった際に、前記当初データ又は前記更新データを閲覧又はダウンロードさせる手段と、
前記情報伝達媒体の発給を受けた受給者から、情報機器を介して前記更新用コードからアクセスがあった際に、前記当初データの内容に情報を追加させ、又は、前記当初データの内容を変更させることで更新データを作成させる手段を有し、
前記発給機は、前記発給者の指令に基いて、前記情報伝達媒体を発給する手段を有する、
ことを特徴とするサービス提供システム。
【００１７】
１０．ネットワークに接続されたコンピュータによって実行され、少なくとも２種の二次元コードが表示された情報伝達媒体が、発給者によって発給され、これを受け取った受給者に情報が与えられるサービスの提供方法に用いられる情報伝達媒体であって、
前記２種の二次元コードは、参照用コード及び更新用コードであり、
前記参照用コードは、前記発給者によって前記コンピュータにアップロードされた当初データ又は後述する更新データにアクセスするコードであり、
前記更新用コードは、前記当初データの内容に情報を追加し、又は当初データの内容を変更することで、更新データを作成するためのコードであり、
前記コンピュータによって実行されるステップが、
前記発給者によって、情報機器を介してアップロードされた当初データを受信し、保存するステップと、
前記発給者からの指令によって、前記受給者に対して前記情報伝達媒体を発給するステップと、
前記発給者、前記受給者又は該受給者から前記情報伝達媒体を譲り受けた受贈者によって、情報機器を介して前記参照用コードからアクセスがあった際に、前記当初データ又は前記更新データを閲覧又はダウンロードさせるステップと、
前記受給者から、情報機器を介して前記更新用コードからアクセスがあった際に、前記当初データの内容に情報を追加させ、又は、前記当初データの内容を変更させることで更新データを作成させるステップと、を有する構成であり、
前記情報伝達媒体は、受給者用と受贈者用とで切り離しが可能であり、
受給者用の情報伝達媒体には、更新用コードが表示され、受贈者用の情報伝達媒体には、参照用コードが表示された構成であり、
前記情報伝達媒体は、発給者が受給者に対して発給する際には、受給者用と受贈者用とが切り離されず一体であり、
受給者が受贈者に対して譲り渡す際にこれらを切り離し、受贈者用のみを譲り渡す構成、
であることを特徴とする情報伝達媒体。
【００１８】
１１．請求項１０に記載の情報伝達媒体であって、
前記情報伝達媒体が、郵便物であり、
前記郵便物を販売した発給者から、該郵便物を購入した受給者に対して該郵便物が引き渡される際には、更新用コードが表示された受給者用と、参照用コードが表示された受贈者用とが一体であり、
前記受給者が受贈者に対して郵便物を発送する際に、受給者用を切り取って発送する構成であり、
前記コンピュータによって実行されるステップが、
前記受給者から、情報機器を介して更新用コードからアクセスがあった際に、当初データの内容に、前記受贈者に対するメッセージ情報を追加させ、更新データを作成するステップと、
前記受贈者から、情報機器を介して参照用コードからアクセスがあった際に、前記更新データを閲覧又はダウンロードさせるステップを有すると共に、
前記郵便物に表示された内容が、前記更新データの内容とは異なることを特徴とする郵便物。
【００１９】
本発明の参考発明として、以下の構成を挙げることができる。
参考発明１．ネットワークに接続されたコンピュータによって実行され、
少なくとも３種の二次元コードが表示された情報伝達媒体が、発給者によって発給され、これを受け取った受給者に情報が与えられるサービスの提供方法であって、
前記３種の二次元コードは、参照用コード、更新用コード及び削除用コードであり、
前記参照用コードは、前記発給者によって前記コンピュータにアップロードされた当初データ又は後述する更新データにアクセスするコードであり、
前記更新用コードは、前記当初データの内容に情報を追加し、又は当初データの内容を変更することで、更新データを作成するためのコードであり、
前記削除用コードは、前記更新データを削除するため、又は、前記当初データと前記更新データを共に削除するためのコードであり、
前記コンピュータによって実行されるステップが、
前記発給者によって、情報機器を介してアップロードされた当初データを受信し、保存するステップと、
前記発給者からの指令によって、前記受給者に対して前記情報伝達媒体を発給するステップと、
前記発給者、前記受給者又は該受給者から前記情報伝達媒体を譲り受けた受贈者によって、情報機器を介して前記参照用コードからアクセスがあった際に、前記当初データ又は前記更新データを閲覧又はダウンロードさせるステップと、
前記受給者から、情報機器を介して前記更新用コードからアクセスがあった際に、前記当初データの内容に情報を追加させ、又は、前記当初データの内容を変更させることで更新データを作成させるステップと、
情報機器を介して前記削除用コードからアクセスがあった際に、前記当初データ又は前記更新データを削除するステップと、
を有することを特徴とするサービスの提供方法。
【００２０】
参考発明２．発給者によって、情報機器を介してアップロードされた複数の当初データを受信し、保存するステップと、
受給者から、情報機器を介して前記更新用コードからアクセスがあった際に、前記複数の当初データから１つの当初データを選択させるステップと、
前記選択された当初データの内容に情報を追加させ、又は、前記選択された当初データの内容を変更させることで更新データを作成させるステップと、
を有することを特徴とする参考発明１に記載のサービスの提供方法。
【００２１】
参考発明３．情報伝達媒体が、商品又は役務の料金を精算した際に発行される精算レシートであり、
当初データが、販売店に関する情報若しくは役務を提供する場所に関する情報、又は、販売する商品若しくは提供する役務に関する情報であり、
更新データが、前記当初データに購入店に関する情報若しくは役務の提供を受けた店に関する情報、又は、購入した商品若しくは提供を受けた役務に関する情報を、受給者が追加したことによって作成されたデータである、
ことを特徴とする参考発明１又は２に記載のサービスの提供方法。
【００２２】
参考発明４．情報伝達媒体が、順番待ちの際に発行される受付番号シートであり、
当初データが、販売店に関する情報若しくは役務を提供する店に関する情報、又は、販売する商品若しくは提供する役務に関する情報であり、
更新データが、前記当初データに購入店に関する情報若しくは役務の提供を受けた店に関する情報、又は、購入した商品若しくは提供を受けた役務に関する情報を、受給者が追加したことによって作成されたデータである、
ことを特徴とする参考発明１又は２に記載のサービスの提供方法。
【００２３】
参考発明５．参照用コードが、商品、商品に付加するもの又は商品の包装に表示され、
前記商品を購入した者には、３種の二次元コードが表示された情報伝達媒体が発給されるサービスの提供方法であって、
受給者から、情報機器を介して更新用コードからアクセスがあった際に、当初データの内容に、前記商品を譲り受ける者に対するメッセージ情報を追加させ、更新データを作成するステップと、
前記商品を譲り受けた受贈者から、情報機器を介して参照用コードからアクセスがあった際に、前記更新データを閲覧又はダウンロードさせるステップと、
を有することを特徴とする参考発明１又は２に記載のサービスの提供方法。
【００２４】
参考発明６．参照用コードが郵便物に表示され、受給者が受贈者に対して郵便物を発送することによって、受贈者に該参照用コードが教示され、
前記郵便物を購入した受給者には、３種の二次元コードが表示された情報伝達媒体が発給されるサービスの提供方法であって、
受給者から、情報機器を介して更新用コードからアクセスがあった際に、当初データの内容に、前記商品を譲り受ける者に対するメッセージ情報を追加させ、更新データを作成するステップと、
前記商品を譲り受けた受贈者から、情報機器を介して参照用コードからアクセスがあった際に、前記更新データを閲覧又はダウンロードさせるステップとを有し、
前記郵便物に表示された内容と、前記更新データの内容が異なることを特徴とする参考発明１又は２に記載のサービスの提供方法。
【００２５】
参考発明７．ネットワークに接続されたコンピュータと、
少なくとも３種の二次元コードが表示された情報伝達媒体を発給する発給機を備え、
前記３種の二次元コードは、参照用コード、更新用コード及び削除用コードであり、
前記参照用コードは、前記発給者によって前記コンピュータにアップロードされた当初データ又は後述する更新データにアクセスするコードであり、
前記更新用コードは、前記当初データの内容に情報を追加し、又は当初データの内容を変更することで、更新データを作成するためのコードであり、
前記削除用コードは、前記更新データを削除するため、又は、前記当初データと前記更新データを共に削除するためのコードであり、
前記コンピュータは、
前記情報伝達媒体を発給する発給者によって、情報機器を介してアップロードされた当初データを受信し、保存する手段と、
情報機器を介して前記参照用コードからアクセスがあった際に、前記当初データ又は前記更新データを閲覧又はダウンロードさせる手段と、
前記情報伝達媒体の発給を受けた受給者から、情報機器を介して前記更新用コードからアクセスがあった際に、前記当初データの内容に情報を追加させ、又は、前記当初データの内容を変更させることで更新データを作成させる手段と、
情報機器を介して前記削除用コードからアクセスがあった際に、前記当初データ又は前記更新データを削除する手段とを有し、
前記発給機は、前記発給者の指令に基いて、前記情報伝達媒体を発給する手段を有する、
ことを特徴とするサービス提供システム。
【発明の効果】
【００２６】
上記１に示す発明によれば、参照用コード及び更新用コードという２つの二次元コードを発給することで、これらにアクセスするという簡単な操作でサービスを利用することができる。
【００２７】
詳しくは、発給者により、当初データというフォーマットが提供され、受給者は、このフォーマットに任意の情報を追加するという簡単な操作で更新データを作成することができる。この更新データは、受給者の意思が込められた内容に作成することができ、受贈者へのメッセージとして利用することができ、利用者の興味を惹く趣向性を備えたサービスを提供することができる。
【００２８】
また、情報伝達媒体は、受給者用と受贈者用とで切り離しが可能な構成であり、受給者用の情報伝達媒体には更新用コードが表示され、受贈者用の情報伝達媒体には参照用コードが表示された構成である上で、発給者が受給者に対して発給する際、には、即ち情報伝達媒体の提供時（販売時）において受給者用と受贈者用とが切り離されず一体である。そのため、受給者がアクセスする更新用コードと受贈者がアクセスする参照用コードは常に一対であって、混同する恐れがない構成であり、受給者と受贈者が同じデータを共有する仕組みを確保することができる。
【００２９】
更にまた、発給者は、当初データに広告宣伝に関する情報を含ませることができ、この広告宣伝を含む当初データをフォーマットとして使用させ、受給者及び／又は受贈者に対して宣伝効果を得ることができる。更に、この当初データを基にした更新データが、受給者及び／又は受贈者によってＳＮＳ（ソーシャル・ネットワーキング・サービス）等を利用して拡散されれば、宣伝効果を更に高めることができる。
【００３０】
上述した趣向性の向上と広告宣伝による効果とが相俟って、本サービスの利用を促進させることができる。
【００３１】
上記２に示す発明によれば、情報伝達媒体の二次元コードが表示された面が内側に折り合わされ、この折り合わされた状態で二次元コードを視認できない構成であるため、受給者又は受贈者以外の者に当該二次元コードを見られることがない。例えば、情報伝達媒体を提供する前の段階（例えば、販売のため店頭に展示された状態。）において二次元コードを視認可能な状態であれば、第三者による不正なアクセスが可能となるが、本発明の構成によりこれを防止することができる。
【００３２】
上記３に示す発明によれば、当初データとして複数のフォーマットを提示し、受給者にこれを選択させることができる。これにより、受給者は、商品や役務を使用した感想等の情報を表現する幅が広まり、受給者によるサービス利用の満足度を向上させることができる。また、これを閲覧する受贈者にとっても、得られる情報量は増加し、サービス利用による満足度の向上を図ることができる。
【００３３】
上記４に示す発明によれば、例えば年賀状等に関するサービスに応用することで、年賀状には直接表示されないが、受取人（受贈者）が参照用コードにアクセスすることで、差出人がアップロードした特定の写真等を閲覧することができる。
また、差し出す相手によって異なる参照用コードを年賀状に表示すれば、差し出す相手によって異なる写真等の更新データを提供することができる。
更にまた、上記特定の写真等は、差出人（受給者）が更新用コードを使用して実質的に削除することもでき、例えば期間限定の閲覧という利用方法を提供することができる。
【００３４】
上記５〜７に示す発明によれば、店舗等において、商品の販売や役務の提供に伴って発行されることが一般的な精算レシートやこれに付随して発行される割引券等を利用して、２種の二次元コードを提供することができれば、この二次元コードを受給者に対して確実に手渡すことができる。
特に、常時発行される精算レシートを利用することにより、別途印刷物等を発行する必要がなく、その分の手間やコストを削減することができる。
また、順番待ちの顧客のために発行される受付番号シートを利用することによっても、、別途印刷物等を発行する必要がなく、その分の手間やコストを削減することができる。
【００３５】
上記８に示す発明によれば、上述の２種の二次元コード（参照用コード及び更新用コード）に加え、削除用コードを付与することにより、当初データや更新データの公開を簡単な方法で停止することができる。
【００３６】
上記９に示す発明によれば、上記１に示す発明と同様に、簡単な操作で利用でき、趣向性の向上と広告宣伝による効果とが相俟って、本システムの利用を促進させることができる。
【００３７】
上記１０〜１１に示す発明によれば、上記１〜９に示されるサービスの提供方法又はサービス提供システムに最適な情報伝達媒体及びこれに含まれる郵便物を提供することができる。
【００３８】
上記参考発明１に示す発明によれば、参照用コード、更新用コード及び削除用コードという３つの二次元コードを発給することで、これらにアクセスするという簡単な操作でサービスを利用することができる。
【００３９】
詳しくは、発給者により、当初データというフォーマットが提供され、受給者は、このフォーマットに任意の情報を追加するという簡単な操作で更新データを作成することができる。この更新データは、受給者の意思が込められた内容に作成することができ、受贈者へのメッセージとして利用することができ、利用者の興味を惹く趣向性を備えたサービスを提供することができる。
【００４０】
また、発給者は、当初データに広告宣伝に関する情報を含ませることができ、この広告宣伝を含む当初データをフォーマットとして使用させ、受給者及び／又は受贈者に対して宣伝効果を得ることができる。更に、この当初データを基にした更新データが、受給者及び／又は受贈者によってＳＮＳ（ソーシャル・ネットワーキング・サービス）等を利用して拡散されれば、宣伝効果を更に高めることができる。
【００４１】
上述した趣向性の向上と広告宣伝による効果とが相俟って、本サービスの利用を促進させることができる。
【００４２】
上記参考発明２に示す発明によれば、当初データとして複数のフォーマットを提示し、受給者にこれを選択させることができる。これにより、受給者は、商品や役務を使用した感想等の情報を表現する幅が広まり、受給者によるサービス利用の満足度を向上させることができる。また、これを閲覧する受贈者にとっても、得られる情報量は増加し、サービス利用による満足度の向上を図ることができる。
【００４３】
上記参考発明３に示す発明によれば、店舗等において、商品の販売や役務の提供に伴って発行されることが一般的な精算レシートを利用して、３種の二次元コードを提供することができれば、この二次元コードを受給者に対して確実に手渡すことができる。
また、常時発行される精算レシートを利用することにより、別途印刷物等を発行する必要がなく、その分の手間やコストを削減することができる。
【００４４】
上記参考発明４に示す発明によれば、情報伝達媒体として、店舗等において順番待ちの際に発行される受付番号シートを利用することで、別途印刷物等を発行する必要がなく、その分の手間やコストを削減することができる。
また、受給者にとっても、順番を待つ時間に当初データを閲覧し、更新データを作成することができるので、待ち時間を有効に活用することができるし、発給者にとっても、受給者に時間潰しとしてのツールを提供することができ、長い待ち時間による来客（受給者）からの苦情を減少させ、順番を待つ客の離脱を抑制することができる。
【００４５】
上記参考発明５に示す発明によれば、３種の二次元コードが表示された情報伝達媒体とは別に、商品等に参照用コードが表示された構成であり、商品等を手にした者の眼に触れ易いので、受給者又は受贈者によって当初データ又は更新データが閲覧される確率が高まることを期待できる。
また、当初データを作成していない時点において商品等に参照用コードを表示させ、商品を生産後に当初データをアップロードすることができるので、商品の作り置きも可能となる。
【００４６】
上記参考発明６に示す発明によれば、例えば年賀状等に関するサービスに応用することで、年賀状には直接表示されないが、受取人が参照用コードにアクセスすることで、差出人がアップロードした特定の写真等を閲覧することができる。
また、差し出す相手によって異なる参照用コードを年賀状に表示すれば、差し出す相手によって異なる写真等の更新データを提供することができる。
更にまた、上記特定の写真等は、差出人が削除用コードを使用して削除することもでき、例えば期間限定の閲覧という利用方法を提供することができる。
【００４７】
上記参考発明７に示す発明によれば、上記１に示す発明と同様に、簡単な操作で利用でき、趣向性の向上と広告宣伝による効果とが相俟って、本システムの利用を促進させることができる。
【図面の簡単な説明】
【００４８】
【図１】本発明に係る二次元コードの配布によるサービスの提供方法及びサービス提供システムを示すブロック構成図
【図２】本発明に係る二次元コードの配布によるサービスの提供方法及びサービス提供システムを示すフローチャート
【図３】実施例１を示すブロック構成図
【図４】実施例２を示すブロック構成図
【図５】実施例５を示すブロック構成図
【図６】発給者から受給者に提供される時点における情報伝達媒体７の一実施例を表す概略説明図
【図７】受給者が入手した後における情報伝達媒体７の一実施例を表す概略説明図
【図８】情報伝達媒体７を受け取った受贈者がアクセスにより閲覧できる更新データの様子
【図９】実施例６を示すブロック構成図
【発明を実施するための形態】
【００４９】
本発明に係る二次元コードの配布によるサービスの提供方法サービス提供システム及びこれらに用いられる情報伝達媒体について、図面に従って説明する。
【００５０】
図１は、本発明に係る二次元コードの配布によるサービスの提供方法及びサービス提供システムを示すブロック構成図、図２は、本発明に係る二次元コードの配布によるサービスの提供方法及びサービス提供システムを示すフローチャートである。
【００５１】
図１に示されるブロック構成図と図２に示されるフローチャートでは、本発明を実施する上で必要なステップを記載したが、その他のステップが追加されることを妨げるものではない。
【００５２】
図１に示されるとおり、本発明は、インターネット等のネットワークに接続されたコンピュータ１が、発給者２、受給者３又は受贈者４のいずれかからの指令を受けて、所定の動作するものである。また、前記発給者２、受給者３又は受贈者４の他、本発明に係るサービスの提供及びサービス提供システムを管理する第三者（管理者）又はこれを運営する第三者（運営者）が、コンピュータ１に対して指令を与えることもある。
【００５３】
ここで、本発明で用いられる用語について説明する。
【００５４】
本発明におけるコンピュータ１とは、インターネット等のネットワークに接続され、発給者２等がパーソナルコンピュータやスマートフォンなどの情報機器からネットワークを介して接続することができる電子計算機である。なお、コンピュータ１は、一般的な定義においてコンピュータに属するサーバ等を含む概念である。
コンピュータ１の役割や作用については後述するが、本発明に係るサービスの提供及びサービス提供システムを実施する上で、同じネットワークに接続された複数のコンピュータ１が使用され、その役割が分担されてもよい。
【００５５】
発給者２とは、少なくとも２種の二次元コード６が表示された情報伝達媒体５を、受給者２対して発給する者である。自然人の他、法人や団体又はその従業員がこれに当たる場合もある。例えば、店舗におけるサービスの提供であれば、店舗側が該当する。
また、本発明に係る二次元コード６の配布によるサービスの提供方法及びサービス提供システムが、発給者２が委託した第三者（管理者）又はこれを運営する運営者によって管理・運用される場合は、発給者２の指令が、この管理者や運営者によって行われる場合がある。
【００５６】
受給者３とは、発給者２から情報伝達媒体５を発給され、これを受け取った者である。主に自然人が該当するが、法人や団体又はその従業員がこれに当たる場合もある。例えば、店舗におけるサービスの提供であれば、購入者を該当する。
【００５７】
受贈者４は、受給者３から情報伝達媒体５を受け取った者である。例えば、店舗におけるサービスの提供であれば、商品を購入した受給者３が、商品と共に情報伝達媒体５を発給者２から受け取り、受給者３からこの商品と共に情報伝達媒体５を更に譲渡された者が、これに該当する。
【００５８】
二次元コード６とは、横方向にしか情報を持たない一次元コード（バーコード等）に対し、水平方向と垂直方向に情報を持つ表示方式のコードのことである。
本発明に用いられる二次元コード６としては、ＱＲコード（登録商標）などの小さな正方形を二次元的に配列させたマトリックスコードを用いることができる。また、バーコード（コードとしては一次元配列であるが、パターンとしては二次元であり、本明細書では二次元コードに含むものとする）や、一次元のバーコードを上下に重ねたスタックコードを用いることもできる。
【００５９】
本発明では、少なくとも２種の二次元コード６が、情報伝達媒体に表示される。
２種の二次元コードとは、後述する参照用コード６１及び更新用コード６２であり、これらに削除用コード６３を加えて３種の二次元コードを用いることもできる。
【００６０】
参照用コード６１とは、発給者２によってコンピュータ１にアップロードされた後述する当初データＤ１又は更新データＤ３にアクセスするための二次元コードである。
この参照用コード６１には、スマートフォンなどの情報機器で撮影することで、コンピュータ１に保存された当初データＤ１又は更新データＤ３にアクセスするように、ＵＲＬ（「Uniform Resource Locator」の略称。以下、同じ。）情報が格納される。
【００６１】
更新用コード６２とは、当初データＤ１の内容に追加データＤ２を追加し、又は当初データＤ１の内容を変更することで、更新データＤ３を作成するための二次元コードである。
この更新用コード６２には、スマートフォンなどの情報機器で撮影することで、コンピュータ１に保存された当初データＤ１又はすでに作成された更新データＤ３にアクセスし、これらに情報を追加することや、これらの情報を変更することができるサイトやツールにアクセスするように、ＵＲＬ等の情報が格納される。
【００６２】
削除用コード６３とは、当初データＤ１若しくは更新データＤ３を削除するため、又は、当初データＤ１と更新データＤ３を共に削除するためのコードである。
この削除用コード６３には、スマートフォンなどの情報機器で撮影することで、コンピュータ１に保存された当初データＤ１又は更新データＤ３を削除する指令、又は、当初データＤ１又は更新データＤ３を削除するためのサイトにアクセスするように、ＵＲＬ情報が格納される。
【００６３】
本発明における情報伝達媒体５とは、紙媒体の他、情報機器に保存されディスプレイに表示される形態や、合成樹脂や繊維によって形成されたシート等、二次元コード６を表示することが出来る全ての媒体を含む概念であり、その内容に限定はない。
情報伝達媒体５が紙媒体である場合、例えば、商品を購入した際に発行されるレシートや順番待ちの際に発行される受付番号シートのような感熱紙を使用することができ、その他、ハガキやシールを情報伝達媒体５として使用することもできる。
【００６４】
なお、情報伝達媒体５には、ここに表示された二次元コード６が、参照用コード６１、更新用コード６２又は削除用コード６３のいずれであるか分かり易いように、文字や目印等によって示されることが好ましい。これにより、例えば、受給者３が本来手元に残すべき更新用コード６２と、受贈者４に渡すべき参照用コード６１とを取り違える等の問題を防止・抑制することができる。
【００６５】
なおまた、情報伝達媒体には、データ（当初データ、追加データ、更新データを含む。）の保存期間に期限があること等を受給者や受贈者に知らせるため、注意書き（図７における符号７４参照。）を設けることが好ましい。この注意書きを設けることによって、受給者や受贈者に対してデータの保存期間が有限であることを確実に伝えることができる。注意書きには、上記保存期間の他、利用規約を記載してもよい。
更に、例えば後述する実施例６のように、情報伝達媒体７が受給者７１と受贈者側７２とに分かれている場合、受給者７１が切り取り線７３でこれらを切り離したことによって、注意書きに記載された事項に同意したことを意味する構成としてもよい。
【００６６】
発給機２１とは、少なくとも２種の二次元コード６が表示された情報伝達媒体５を発給することができる機器である。発給機２１は、発給者２の指令によって情報伝達媒体５を発給する。
発給者２の指令は、情報機器端末５を利用してコンピュータ１に指令を送り、このコンピュータ１から発給機２１に対して発給の指令を送信する手段の他、発給者２が直接発給機２１に対して指令を送信することや、情報機器端末から発給機２１に直接指令を送信する手段を採用することができる。
【００６７】
情報伝達媒体５が紙媒体であれば、チケット発券機やプリンターがこれに該当する。また、情報伝達媒体５が情報機器に表示される形態である場合には、二次元コード６についての電子データを、受給者３が有する情報機器等に送信することができる機器が該当する。
【００６８】
当初データＤ１とは、発給者２によって、コンピュータ１に最初にアップロードされたデータファイルである。
当初データＤ１の内容に限定はないが、例えば、画像データ、映像データ、音楽データ等を挙げることができる。また、更に具体的に例示すれば、画像データの一部として使用されるフレーム画像を挙げることができる。フレーム画像には、写真・イラスト等を含む図のほか、文字等が含まれることがある。
【００６９】
追加データＤ２とは、後述する更新データＤ３を作成するため、当初データＤ１に追加するデータファイルである。
追加データＤ２の内容に限定はないが、例えば、画像データ、映像データ、音楽データ等を挙げることができる。また、更に具体的に例示すれば、当初データＤ１の内容が画像データの一部として使用されるフレーム画像であった場合は、このフレーム画像に当て嵌める任意の写真・図形や文字（追加データＤ２）であり、フレーム画像（当初データＤ１）に受給者３の顔写真（追加データＤ２））を追加し、更新データＤ３を作成することを挙げることができる。
【００７０】
更新データＤ３とは、受給者３によって作成されたデータファイルであり、当初データＤ１の内容に情報（追加データＤ２）を追加し、又は当初データＤ１の内容を変更することで作成されたデータファイルである。
更新データＤ３の内容に限定はないが、例えば、画像データ、映像データ、音楽データ等を挙げることができる。また、更に具体的に例示すれば、当初データＤ１の内容が画像データの一部として使用されるフレーム画像であった場合は、このフレーム画像に、受給者３が任意の写真・図形や文字（追加データＤ２）を追加することや、フレーム画像の一部を変更することを挙げることができる。
【００７１】
次に、本発明におけるコンピュータ１の動作について、図１〜２に従って説明する。
なお、上述する（１）〜（１０）の符号は、図１における（１）〜（１０）で符号と行動が一致する。
【００７２】
（１）発給者２又は管理者５によって、情報機器を介して指令（コマンド）が送信され、当初データＤ１が送信（アップロード）された場合は、この当初データＤ１を受信し、保存する。
発給者２等から、複数の当初データＤ１が送信された場合は、これらの複数の当初データＤ１の全てを受信し、保存することが好ましい。
なお、受信した当初データＤ１を暗号化し、暗号データとすることが好ましい。
【００７３】
（２）発給者２又は発給機２１からの指令（コマンド）によって、（３）コンピュータ１は発給機２１に対してＩＤを発行し、（４）発給機２１は受給者３に対して、該ＩＤからなる二次元コードが表示された情報伝達媒体５を発給する。なお、当初データＤ１が暗号化された構成の場合は、該ＩＤと暗号解除コードからなる二次元コードが表示された情報伝達媒体５を発給する。
前述のとおり、情報伝達媒体５は様々な形態が想定されるが、例えば、紙媒体である場合は、発券機やプリンター等の発給機２１によって、受給者３に対して情報伝達媒体５を発行（発給）する。
【００７４】
（５）受給者３から、情報機器を介して更新用コード６２からアクセスがあった際に、受給者３の指令（コマンド）に基いて当初データＤ１の内容に追加データＤ２を追加し、又は、当初データＤ１の内容を変更する。この追加・変更によって、更新データＤ３を作成し、保存する。
【００７５】
更新用コード６２からアクセスがあった際に、複数の当初データＤ１が保存されている場合は、１つの当初データＤ１を選択するステップを設け、この選択された当初データＤ１を対象として更新データＤ３を作成する構成としてもよい。
【００７６】
受給者３によって、１回目の更新データＤ３が作成された後は、次に更新用コード６２からアクセスがあった際に、この１回目の更新データＤ３を追加・変更の対象とすることができる。この要領で、２回目、３回目・・・の更新データＤ３を作成し、保存する。
なお、当初データＤ１と同様に、更新データＤ３も暗号化し、暗号データとすることが好ましい。
【００７７】
（６）受給者２は、受贈者３に対して参照用コード６１を教示する。
（７）受贈者４（場合によって受給者３）によって、情報機器を介して参照用コード６１からアクセスがあった際に、（８）当初データＤ１又は更新データＤ３を表示し、又はこの当初データＤ１等を受給者３等の情報機器に送信（ダウンロード）する。
また、設定により、受給者３によって更新データＤ３が作成された場合にのみ、参照用コード６１からのアクセスに対して表示・ダウンロードをする構成としてもよい。
【００７８】
（９）受給者３等から、情報機器を介して削除用コード６３からアクセスがあった際に、当初データＤ１又は更新データＤ３を削除する。削除用コード６３からのアクセスによって削除用サイトを展開し、この削除用サイトからの指令（コマンド）を送信し、当初データＤ１又は更新データＤ３を削除する構成としてもよい。
また、削除するステップにおいて、パスワード等の入力を求める構成としてもよい。
【００７９】
（１０）コンピュータ１は、発給者２の求めに応じて又は予め設定された内容にしたがって自動的に、発給者２に対して本サービスの利用情報を送信する。
本サービスの利用情報は、コンピュータ１へのアクセス状況や、更新データＤ３の内容等である。
【００８０】
上述したコンピュータ１による動作は、発給者２等の指令（コマンド）に基く他、管理者や運用者の指令に基く場合がある。
【００８１】
二次元コードの作成について、以下に補足する。
上記（１）〜（１０）において用いられた用語のうち、ＩＤとは、データを識別するための情報であり、ここでは当初データＤ１や更新データＤ３が保存されたＵＲＬ等の情報が該当する。また、暗号解除コードとは、コンピュータ１にアップロードされ、ここで暗号化された当初データＤ１や更新データＤ３の暗号データを解除するためのコードである。この暗号解除コードは、発給機２１によって生成される。
【００８２】
二次元コードは、発給機２１によって作成される構成である。即ち、発給機２１からの指令によって、コンピュータ１は発給機２１に対してＩＤを発行するが、該ＩＤからなる二次元コードは作成しない構成である。該ＩＤを受け取った発給機２１が、これに基づく二次元コードを作成し、情報伝達媒体５に表示する構成である。
【００８３】
ここで、コンピュータ１が、受信した当初データＤ１や更新データＤ３を暗号化する構成である場合は、該ＩＤと暗号解除コードからなる二次元コードを作成し、これを情報伝達媒体５に表示する。
【００８４】
この構成を採用することにより、コンピュータ１は、ＩＤに対応する暗号データ（当初データＤ１又は更新データＤ３が暗号化されたデータ）を管理するが、暗号解除コードは管理しない構成なので、仮に、第三者にＩＤが知られ当初データＤ１や更新データＤ３にアクセスされたとしても、暗号を解除できないため閲覧できない。よって、当初データＤ１や更新データＤ３は、暗号解除コードが含まれた二次元コードを手にした受給者３又は受贈者４からのアクセスでなれば閲覧できない構成であるため、セキュリティ性が高く、プライバシーを保護することができる。
【００８５】
・実施例１
情報伝達媒体５として、「精算レシート」を利用する実施例について説明する。
精算レシート５１は、客が店舗等に対して商品又は役務の料金を支払った際に、店側が領収書等として発行する紙媒体であり、例えば、スーパー等で代金を支払った後に発行され、単にレシートと呼称されるものがこれに該当する。
【００８６】
この実施例について、図３に従って説明する。
この実施例は、主に商品を販売又は役務を提供する店舗におけるサービスを想定しており、例えば、発給者２は店舗、受給者３は客である。
【００８７】
まず、（１）発給者２である店舗は、画像ファイル等の当初データＤ１をコンピュータ１にアップロードする。当初データＤ１には、店舗や商品・役務に関する情報を含ませることが好ましい。また、例えば、商品がプレゼント品である場合には、「お誕生日おめでとう」や「ありがとう」などのメッセージが含まれる画像データ等を当初データＤ１とすることが好ましい。
コンピュータ１は、この当初データＤ１を受信し、保存する。
【００８８】
次に、代金の精算が行われた際に、店舗（発給者２）から客（受給者３）へ少なくとも２種の二次元コードが表示された精算レシート５１（情報伝達媒体５）を発給する。
コンピュータ１は、店舗（発給者２）からの指令により、レジスター等を発給機２１として、二次元コードが表示された精算レシート５１（情報伝達媒体５）を発行する。
詳しくは、（２）店舗（発給者２）がコンピュータ１に対してＩＤを発給するよう指令し、（３）コンピュータ１から発給者２にＩＤを発給し、（４）店舗（発給者２）から客（受給者３）へ少なくとも２種の二次元コードが表示された精算レシート５１（情報伝達媒体５）を発行する。
【００８９】
精算レシート５１を受け取った客（受給者３）は、（５）情報機器等を利用して更新用コード６２からコンピュータ１へアクセスし、自己の写真など任意の画像ファイル等（追加データＤ２）をアップロードし、更新データＤ３を作成する。例えば、購入した商品がプレゼント品である場合には、「お誕生日おめでとう」や「ありがとう」などのメッセージが含まれる画像データ等を当初データＤ１に、自己の顔写真や、プレゼントを渡す者へのメッセージ文字等を追加することが好ましい。
コンピュータ１は、客（受給者３）からアップロードされた画像ファイル等（追加データＤ２）を受信し、客（受給者３）からの指令によって当初データＤ１にこれを追加等して、更新データＤ３を作成して保存する。
【００９０】
（６）客（受給者３）は、主に家族や友人などの受贈者４に対して参照用コード６１を教示する。なお、図３では、後述する実施例３の説明を兼ねているため、受贈者４に渡される参照用コード６１が商品（図の例ではケーキ。）に付加するもの（図の例ではメッセージプレート。）に表示されているが、紙媒体等に参照用コード６１が表示され、これを受贈者４に手渡す態様であってもよい。
その後、（７）受贈者４は、情報機器等を利用して参照用コード６１からコンピュータ１へアクセスし、更新データＤ３を閲覧する。例えば、客（受給者３）からプレゼントを受け取った際に、この参照用コード６１を受け取れば、お祝いのメッセージ等を含む更新データＤ３を閲覧することができる。
（８）コンピュータ１は、参照用コード６１を介して受贈者４からアクセスがあった場合は、更新データＤ３を閲覧可能とし、ダウンロード可能としてもよい。
【００９１】
この実施例１では、本発明に係るサービス又はシステムをメッセージカードの如く利用することができると共に、店舗（発給者２）としては、当初データＤ１に、店に関する情報若しくは役務の提供をする店に関する情報、又は、販売する商品若しくは提供する役務に関する情報を掲載することで、広告宣伝効果をも期待できる。
【００９２】
・実施例２
情報伝達媒体５として、「受付番号シート」を利用する実施例について説明する。
受付番号シート５２は、店舗等で客が順番待ちをする際に発行される紙媒体であり、これに受付番号等が記載されたものである。
【００９３】
この実施例について、図４に従って説明する。  
この実施例でも、主に商品を販売又は役務を提供する店舗、特に行列ができる店など客に順番待ちをさせることが多い店舗におけるサービスを想定しており、例えば、発給者２は店舗、受給者３は客である。
【００９４】
まず、（１）発給者２である店舗は、画像ファイル等の当初データＤ１をコンピュータ１にアップロードする。当初データＤ１には、店舗や商品・役務に関する情報を含ませることが好ましい。
コンピュータ１は、この当初データＤ１を受信し、保存する。
【００９５】
次に、来店した客（受給者３）に対して、受付番号シート５２を発券する。この受付番号シート５２には、少なくとも２種の二次元コード６が表示されている。
コンピュータ１は、店舗（発給者２）からの指令により、受付番号シート５２の発券機等を発給機２１として、二次元コード６が表示された受付番号シート５２（情報伝達媒体５）を発券する。
詳しくは、（２）店舗（発給者２）がコンピュータ１に対してＩＤを発給するよう指令し、（３）コンピュータ１から発給者２にＩＤを発給し、（４）店舗（発給者２）から客（受給者３）へ少なくとも２種の二次元コードが表示された受付番号シート５１（情報伝達媒体５）を発行する。店舗（発給者２）からコンピュータ１に対しての指令は、客（受給者３）が発券機を操作することで、自動的に信号が送信される構成であってもよい。
【００９６】
受付番号シート５２受け取った客（受給者３）は、（５）情報機器等を利用して更新用コード６２からコンピュータ１へアクセスし、自己の写真など任意の画像ファイル等（追加データＤ２）をアップロードし、更新データＤ３を作成する。順番待ちをする店は、人気店であることが多く、客（受給者３）は、この人気店を訪れたことやお店の雰囲気などを文字や画像で表現して更新データＤ３を作成することができる。
コンピュータ１は、客（受給者３）からアップロードされた画像ファイル等（追加データＤ２）を受信し、客（受給者３）からの指令によって当初データＤ１にこれを追加等して、更新データＤ３を作成して保存する。
【００９７】
（６）客（受給者３）は、主に家族や友人などの受贈者４に対して参照用コード６１を教示する。その後、（７）受贈者４は、情報機器等を利用して参照用コード６１からコンピュータ１へアクセスし、更新データＤ３を閲覧する。受贈者４は、受給者３が人気店を訪れた事実や、その店の雰囲気を知ることができる。
（８）コンピュータ１は、参照用コード６１を介して受贈者４からアクセスがあった場合は、更新データＤ３を閲覧可能とし、ダウンロード可能としてもよい。
【００９８】
この実施例２では、客（受給者３）の立場として、順番待ちの時間を利用して更新データＤ３を作成することができ、待ち時間を有効活用することができるし、店舗（発給者２）の立場としては、客（受給者３）が退屈しないように趣向性のあるツールを提供することができ、これに伴って、順番待ちから離脱する客を抑制する等、営業的な効果を期待できる。
また、実施例１と同様に、店舗（発給者２）としては、当初データＤ１に、店に関する情報若しくは役務の提供をする店に関する情報、又は、販売する商品若しくは提供する役務に関する情報を掲載することで、広告宣伝効果も期待できる。
【００９９】
・実施例３
参照用コード６１を、情報伝達媒体５とは別に、商品、商品に付加するもの又は商品の包装にも表示する実施例について説明する。
この実施例３では、当初データＤ１のアップロードから更新データＤ３の作成など、一連のステップは実施例１〜２と共通であるため説明を省略する。
【０１００】
この実施例３は、店舗（発給者２）が販売等する商品その物に、参照用コード６1を表示するものである。参照用コード６１は、商品その物に限られず、商品に付加するものや商品の包装等に表示してもよい。
例えば、店舗（発給者２）が販売する商品がクッキー等の焼き菓子である場合、この焼き菓子の表面に焼印のように参照用コードを印字する手段を挙げることができる。また、商品がケーキである場合、ケーキの上にチョコレート等でできたメッセージプレートが添えられることがあるが、このメッセージプレートに参照用コード６１を印字する手段を挙げることができる（図３参照）。
【０１０１】
実施例１〜２では、客（受給者３）が受贈者４に対して、参照用コード６１が表示された紙媒体を手渡す、又は参照用コードをメール等で送信するなどの行為を行う必要がある。しかし、この実施例３では、商品、商品に付加するもの又は商品の包装に参照用コード６１が表示されているので、別途参照用コード６１を知らせる必要がない。
【０１０２】
また、本発明は、ある特定の二次元コード（参照用コード６１）が存在する場合、この二次元コード（参照用コード６１）によってアクセスされるサイト等に当初データＤ１又は更新データＤ３を後発的にアップロードすることができるので、商品に二次元コードを印字等した後に、ここから得られる情報をアップロードできるという利点がある。
【０１０３】
すなわち、従来から知られる二次元コードが印字された菓子等の食品は、この食品が生産され二次元コードが印字される段階において、この二次元コードからアクセスされ、またはこの二次元コードに格納される情報は決定されていなければならず、またはこの二次元コードに格納される情報を頻繁に変更する場合は、食品の作り置きができないという欠点があった。
【０１０４】
しかし、本発明によれば、二次元コード６によってアクセスできるサイトや、二次元コード６に格納される情報を後発的に作成し又は更新することができるので、商品の作り置きが可能になるという利点がある。
【０１０５】
・実施例４
実施例１〜３では、店舗（発給者２）が直接、本発明に係る二次元コードの配布によるサービスの提供方法及びサービス提供システムを実施（管理・運営）する態様であるが、本発明は上述のような態様に限定されるものではない。
実施例４として、本発明に係る二次元コードの配布によるサービスの提供方法及びサービス提供システムを、店舗等（発給者２）とは別の第三者が実施する態様について説明する。
【０１０６】
実施例４において、本発明に係る二次元コードの配布によるサービスの提供方法及びサービス提供システムを実施する者は、店舗等から管理を委託された第三者（管理者）、又は、店舗等をクライアントとして当該サービス等を提供し、運営する第三者（運営者）である。
【０１０７】
即ち、この実施例４では、当初データＤ１の作成・アップロードや、情報伝達媒体５の発給など、発給者２が行う行為の一部又は全部が、上記管理者又は運営者によって行われる。
なお、この実施例４でも、当初データＤ１のアップロードから更新データＤ３の作成など、一連のステップは実施例１〜２と共通であるため説明を省略する。
【０１０８】
実施例４によれば、本発明に係る二次元コードの配布によるサービスの提供方法及びサービス提供システムの実施に当たり、管理者が、店舗等から管理料等を得ることや、運営者が、店舗等からサービス提供の対価を得ることができ、店舗等が自ら管理・運営する実施例１〜２等の態様とは異なるビジネスモデルを提案することができる。
【０１０９】
上述した実施例３〜４は、実施例１〜２又は後述する実施例５に付加するサービスとして利用することができ、実施例１〜２又は後述する実施例５の内容に、実施例３、４又は両方を付加して、本発明に係る二次元コードの配布によるサービスの提供方法及びサービス提供システムを実施してもよい。
【０１１０】
・実施例５
受給者３が受贈者４に対して、参照用コード６１を教示する手段として、「郵便物」を利用する実施例について説明する。
本発明における郵便物とは、郵便はがきの他、郵便に使用する封筒やこれに封入される便箋等を含むものである。また、郵便物自体に参照用コード６１が表示される態様に限らず、郵便物に参照用コード６１が表示されたシール等を貼付する態様も含む。
【０１１１】
この実施例では、例えば年賀状、暑中見舞い又はクリスマスカードなど、多数の郵便物が扱われるサービスを想定しており、発給者２は郵便物の印刷業者・作成サービス業者等（郵便物の販売者）、受給者３は郵便物の差出人（郵便物の購入者）、受贈者４は郵便物を受取人である。なお、図５に示される実施例は、年賀状提供サービスの例である。
【０１１２】
この実施例について、図５に従って説明する。  
（１）発給者２によって、当初データＤ１がコンピュータ１に送信（アップロード）される。当初データＤ１を送信する者は、印刷業者等の発給者２に限らず、当初データＤ１を作成するデザイン制作者（法人又は個人の如何を問わない。）やデザインを管理する者等の第三者であってもよい。
【０１１３】
（２）発給者２からコンピュータ１に対して、当初データＤ１と関連付けられたＩＤを発給するよう指令（コマンド）を出す。
（３）コンピュータ１は発給者２に対して、ＩＤを発行する。
【０１１４】
（４）発給者２は、発行された参照用コード６１を印刷等の手段によって表示した郵便物と、少なくとも２種の二次元コード６を印刷等の手段によって表示した情報伝達媒体５を作成し、郵便物の購入者である受給者３に納品する。上述の通り、郵便物に二次元コードが表示されたシール等を貼付してもよいし、このシール等を貼付せずに郵便物と共に納品してもよい。
【０１１５】
また、少なくとも２種の二次元コード６が表示された情報伝達媒体５は、例えば、郵便物の納品書や、本サービスの取扱説明書又は利用規約等（以下、「納品書等５３」という。）であってもよく、その内容に限定はない。例えば、納品書等５３は郵便物に取り付けられた状態で納品され、この納品書等５３と郵便物との間に予め切り取り線等を設け、郵便物を差し出す際に、受給者３が納品書等５３を切り取る構成としてもよい（図５参照）。
【０１１６】
（５）受給者３は、納品書等５３に表示された更新用コード６２からコンピュータ１にアクセスし、追加データＤ２をアップロードすることによって当初データＤ１に情報を追加して、更新データＤ３を作成する。コンピュータ１は、この更新データ３を保存する。
【０１１７】
（６）受給者３は受贈者４に対して、参照用コード６１が表示された郵便物を発送する。これにより、受贈者４は参照用コード６１を入手する。
【０１１８】
（７）受贈者４は、情報機器等を利用して郵便物に表示された参照用コード６１からコンピュータ１へアクセスし、更新データＤ３を閲覧する。受贈者４は、郵便物に記載された内容とは異なる内容のメッセージ（更新データＤ３）を閲覧することができる。
【０１１９】
（８）コンピュータ１は、参照用コード６１を介して受贈者４からアクセスがあった場合は、更新データＤ３を閲覧可能とし、ダウンロード可能としてもよい。
【０１２０】
この実施例５では、単に郵便物を差し出すだけでなく、受取人が、この郵便物に表示された参照表コード６１にアクセスすることで、郵便物に表示された内容とは異なるメッセージを閲覧することができる。この構成であれば、配達時など第三者の目に触れる郵便物には掲載したくないが、受取人に対しては閲覧して欲しい内容を届けることができる。
【０１２１】
また、例えば年賀状の例をとって説明すると、年賀状を送りたい相手方は親戚、友人、仕事関係者など多岐に渡るところ、印刷コストや手間等の問題で年賀状の内容は１種にせざるを得ない事情があるが、本サービスを利用すれば、送る相手によって参照用コード６１を変更することで、閲覧させる内容（更新データＤ３）を相手によって変えることができる。
【０１２２】
更にまた、自己の写真が表示された年賀状は、受取人の下で破棄等されない限りはいつまでも残存してしまうところ、差出人の立場として一定期間が経過した後は、その自己の写真が残らないようにしたいという要望もあったが、本サービスを利用すれば、差出人（受給者２）が削除用コード６３からアクセスすれば、自己の写真等が掲載された更新データＤ３を削除することもでき、期間限定の閲覧といった要望に応えることができる。
【０１２３】
・実施例６
実施例６について、図６〜８に従って説明する。
実施例６は、コンピュータ１によって実行されるステップなど基本的構成は、上述した実施例１〜５と共通とするものの、情報伝達媒体７の構成について新たな工夫が施されている。
【０１２４】
図６〜８に示される例では、情報伝達媒体７として郵便はがきが例示されているが、本発明の内容はこれに限定されるものではない。情報伝達媒体７として、他の実施例で挙げられた精算レシート、受付番号シート、納品書等公知公用の情報伝達媒体を特別の制限なく採用することができる。
【０１２５】
図６は、発給者２から受給者３に情報伝達媒体７が引き渡される前又はその時点における状態であり、例えば、情報伝達媒体７が販売のために店頭に展示された状態である。
図７は、受給者３が情報伝達媒体７を入手し、折られていた受給者側７１と受贈者側７２を展開した状態であり、例えば、情報伝達媒体７を店舗等で購入した後に、自らの手で受給者側７１と受贈者側７２を展開した状態である。
図８は、受贈者４が、受給者３から情報伝達媒体７を入手し、これに表示されている参照用コード６１からアクセスして閲覧した更新データＤ３の様子である。
【０１２６】
図６〜７に示されるように、情報伝達媒体７は、受給者側７１と受贈者側７２が一対となり、これらが切り離されることなく一体となって提供される構成である。
受給者側７１には、少なくとも更新用コード６２が表示され、これに参照用コード６１や削除用コード６３を加えてもよい。
【０１２７】
一方で、受贈者側７２には、参照用コード６１が表示される。受贈者４には、受給者３が選択した映像や文字等（更新データＤ３）を閲覧させれば足りるので、更新用コード６２や削除用コード６３を表示する必要性は低いといえる。
【０１２８】
図６に示されるように、発給者２から受給者３に情報伝達媒体７が引き渡される前又はその時点では、受給者側７１と受贈者側７２は切り離されることなく一体であり、切り取り線７３を折り目として折り合わされた態様である。この態様において、受給者側７１に表示された更新用コード６２と受贈者側７２に表示された参照用コード６１は、重ね合わされた部分の内側に位置し、外観から視認されない構成であることが好ましい。この構成により、例えば、情報伝達媒体７が販売のために店頭に展示された状態において、第三者が二次元コード６を視認することはできず、第三者による当初データＤ１や更新データＤ３へのアクセスを防止することができる。
【０１２９】
情報伝達媒体７は、受給者３から受贈者４へ情報伝達媒体７を譲り渡す際に、受給者側７１と受贈者側７２とを切り取り線７３から切り離し、受贈者側７２のみを譲り渡す構成である。なお、受給者側７１は受給者３の手元に残し、その後も更新用コード６２からアクセス可能となる。
【０１３０】
また、情報伝達媒体７を受給者３から受贈者４へ譲り渡す前に、受給者３は、更新用コード６２から当初データＤ１にアクセスし、これに追加データＤ２を送信する等して更新データＤ３をアップロードしておく。これにより、受贈者４が参照用コード６１からアクセスした際、更新データＤ３を閲覧させることができる。なお、事前に更新データＤ３をアップロードしなかった場合は、受贈者４は当初データＤ１を閲覧することになる。
【０１３１】
実施例６について、図９に従って説明する。
（１）発給者２によって、当初データＤ１がコンピュータ１に送信（アップロード）される。当初データＤ１を送信する者は、印刷業者等の発給者２に限らず、当初データＤ１を作成するデザイン制作者（法人又は個人の如何を問わない。）やデザインを管理する者等の第三者であってもよい。
【０１３２】
（２）発給者２からコンピュータ１に対して、当初データＤ１と関連付けられたＩＤを発給するよう指令（コマンド）を出す。
（３）コンピュータ１は、該ＩＤ（当初データＤ１が暗号化された場合は暗号解除コードを含む。）からなる二次元コードを作成し、発給者２に対してこの二次元コード６を発行する。
【０１３３】
なお、（１）〜（３）は順を問わず、あるＵＲＬに対応した二次元コード６を発行し、このＵＲＬに当初データＤ１をアップロードする順を採用してもよい。
【０１３４】
（４）発給者２は、発行された参照用コード６１とこれに対応する更新用コード６２を、印刷等の手段によって表示した情報伝達媒体７を作成し、購入者である受給者３に引き渡しする。上述の通り、情報伝達媒体７に二次元コードが表示されたシール等を貼付してもよい。
【０１３５】
また、ここで作成される情報伝達媒体７は、図６〜７に示されるように、受給者側７１と受贈者側７２とが切り離し可能な態様である。受給者側７１には、少なくとも更新用コード６２が表示され、受贈者側７２には参照用コード６１が表示され、発給者２から受給者３に情報伝達媒体７が引き渡される時点においては、これらが切り離されず一体の状態が維持されなければならない。
【０１３６】
（５）受給者３は、情報伝達媒体７の受給者側７１に表示された更新用コード６２からコンピュータ１にアクセスし、追加データＤ２をアップロードすることによって当初データＤ１に情報を追加して、更新データＤ３を作成する。コンピュータ１は、この更新データ３を保存する。
【０１３７】
（６）受給者３は受贈者４に対して、参照用コード６１が表示された情報伝達媒体７（図では郵便物）を発送等により引き渡しする。これにより、受贈者４は参照用コード６１を入手する。
この発送の際、受給者３は情報伝達媒体７のうち受給者側７１を切り取り線７３から切り取り、受贈者側７２のみを発送する。なお、情報伝達媒体７が郵便はがき等である場合、配達時に二次元コード６（参照用コード６１）が露出し、これを通じて第三者からアクセスされるおそれがある。この第三者からのアクセスを回避するため、露出した二次元コード６（参照用コード６１）に、プライバシー保護シール等を添付してこれを隠す等してもよい。
【０１３８】
（７）受贈者４は、情報機器等を利用して郵便物に表示された参照用コード６１からコンピュータ１へアクセスし、更新データＤ３を閲覧する。受贈者４は、郵便物に記載された内容とは異なる内容のメッセージ（更新データＤ３）を閲覧することができる。
【０１３９】
（８）コンピュータ１は、参照用コード６１を介して受贈者４からアクセスがあった場合は、更新データＤ３を閲覧可能とし、ダウンロード可能としてもよい。
【０１４０】
この実施例６では、単に郵便物を差し出すだけでなく、受取人が、この郵便物に表示された参照表コード６１にアクセスすることで、郵便物に表示された内容とは異なるメッセージを閲覧することができる。この構成であれば、配達時など第三者の目に触れる郵便物には掲載したくないが、受取人に対しては閲覧して欲しい内容を届けることができる。
【０１４１】
また、例えば年賀状の例をとって説明すると、年賀状を送りたい相手方は親戚、友人、仕事関係者など多岐に渡るところ、印刷コストや手間等の問題で年賀状の内容は１種にせざるを得ない事情があるが、本サービスを利用すれば、送る相手によって参照用コード６１を変更することで、閲覧させる内容（更新データＤ３）を相手によって変えることができる。
【０１４２】
更にまた、自己の写真が表示された年賀状は、受取人の下で破棄等されない限りはいつまでも残存してしまうところ、差出人の立場として一定期間が経過した後は、その自己の写真が残らないようにしたいという要望もあったが、本サービスを利用すれば、差出人（受給者３）が更新用コード６２からアクセスして、追加データＤ２を削除等すれば、自己の写真等が掲載された更新データＤ３を削除・変更することもでき、期間限定の閲覧といった要望に応えることができる。前述した削除用コード６３を受給者側７１に表示すれば、この削除用コード６３を通じて更新データＤ３を削除してもよい。
【０１４３】
この実施例６における最大の特徴は、次のとおりである。
即ち、販売時等の発給者２から受給者３への引き渡しの際までは、受給者側７１と受贈者側７２とが切り離されず一体の状態が維持され、これにより参照用コード６１とこれに対応した更新用コード６２が一対の状態を維持できる点である。仮に、参照用コード６１とこれに対応した更新用コード６２が一対の状態が維持されず、参照用コード６１とこれに対応していない更新用コード６２が混在することがあれば、本サービスは成立しない。
【０１４４】
換言すれば、情報伝達媒体７を入手した受給者７１自らが、受給者側７１と受贈者側７２（即ち、参照用コード６１とこれに対応した更新用コード６２）を切り離さない限り、参照用コード６１とこれに対応した更新用コード６２が一対の状態は維持されるので、対応しない二次元コード６の混在による問題を確実に回避することができる。
【０１４５】
以上の通り、本発明に係る実施例１〜６について説明した。
ここで、本発明の参考発明として、次のような使用方法を提案する。
【０１４６】
本発明は、情報伝達媒体７の受給者側７１に更新用コード６２が表示され、受贈者側７２に参照用コード６１が表示された構成である。
一方で、ここで提案する参考発明は、受贈者側７２に更新用コード６２が表示された構成である。
【０１４７】
本発明において受贈者４は、発給者２又は受給者３がアップロードしたデータ（当初データＤ１又は更新データＤ３）を閲覧することしかできなかったが、この参考発明によれば、受贈者４も追加データＤ２をアップロードすること等によって更新データＤ３を作成することができる。また、この受贈者４がアップロードした更新データＤ３を、受給者３が閲覧することもできる。これにより、受給者３から受贈者４への一方的な情報の提供に止まらず、受給者３と受贈者４との間で双方向の情報のやり取りが可能となり、コミュニケーションツールとしての娯楽性を向上させることができる。
【符号の説明】
【０１４８】
１  コンピュータ
２  発給者
２１  発給機
３  受給者
４  受贈者
５  情報伝達媒体
５１  精算レシート
５２  受付番号シート
５３  納品書等
６  二次元コード
６１  参照用コード
６２  更新用コード
６３  削除用コード
７  情報伝達媒体
７１  受給者側
７２  受贈者側
７３  切り取り線（折り目）
７４  注意書き
Ｄ１  当初データ
Ｄ２  追加データ
Ｄ３  更新データ
【図１】
2020173790.tif 000003
【図２】
2020173790.tif 000004
【図３】
2020173790.tif 000005
【図４】
2020173790.tif 000006
【図５】
2020173790.tif 000007
【図６】
2020173790.tif 000008
【図７】
2020173790.tif 000009
【図８】
2020173790.tif 000010
【図９】
2020173790.tif 000011